(57)【要約】【課題】従来は複数の対物レンズアクチュエータと、複数の対物レンズアクチュエータを切り替えるための切り替え機構とを常にピックアップベース上に搭載しているため、光学式ピックアップ装置全体が大型化し、消費電力の増加や、アクセス速度の低下を招く。【解決手段】単一のピックアップベース５には、光ディスク２ａ、２ｂの各ディスクフォーマットに対応した複数の光源や光学素子等からなる複数の光学系が設けられている。また、光学式ピックアップ装置駆動機構４は、光ディスクの記録／再生時に、ディスク半径方向にピックアップベース５を移動する。対物レンズアクチュエータ保持部７は、対物レンズアクチュエータ６ａ及び６ｂの格納及び切り替えを、ピックアップベース５とは隔離された位置で行う。ピックアップベース上に装着される対物レンズアクチュエータは単一であり、また、装着手段がピックアップベース上に搭載されていない。【選択図】図１
2007115313.tif 000002
【特許請求の範囲】
【請求項１】
ピックアップベース上に対物レンズアクチュエータを搭載した構成の光学式ピックアップ装置を用いて、光ディスクに対して情報信号の記録又は再生を行う光ディスク装置において、
記録又は再生対象の前記光ディスクの複数のディスクフォーマットに対応して、前記対物レンズアクチュエータが複数用意され、その複数の対物レンズアクチュエータを格納する、前記ピックアップベースとは離間した位置に設けられた対物レンズアクチュエータ格納手段と、
記録又は再生時には、記録又は再生しようとする一の前記光ディスクに対応した一の対物レンズアクチュエータを、前記対物レンズアクチュエータ格納手段に格納されている前記複数の対物レンズアクチュエータの中から選択して前記ピックアップベースに装着する装着手段と
を有することを特徴とする光ディスク装置。
【請求項２】
ピックアップベース上に対物レンズアクチュエータを搭載した構成の光学式ピックアップ装置を、光学式ピックアップ駆動機構により光ディスクの半径方向に移動させつつ、前記光ディスクに対して情報信号の記録又は再生を行う光ディスク装置において、
記録又は再生対象の前記光ディスクの複数のディスクフォーマットに対応して、前記対物レンズアクチュエータが複数用意され、その複数の対物レンズアクチュエータを格納する、前記ピックアップベースとは離間した位置に設けられた対物レンズアクチュエータ格納手段と、
記録又は再生時には、前記対物レンズアクチュエータ格納手段に格納されている複数の前記対物レンズアクチュエータの中から、前記記録又は再生しようとする前記光ディスクのディスクフォーマットに対応した前記対物レンズアクチュエータを、前記光学式ピックアップ駆動機構により前記記録又は再生しようとする前記光ディスクの方向に移動中の前記ピックアップベースに設けられた係合部に係合させて装着させ、記録又は再生終了後は、前記光学式ピックアップ駆動機構により前記光ディスクから離れる方向に移動中の前記ピックアップベースに装着されている前記対物レンズアクチュエータを前記対物レンズアクチュエータ格納手段の係合部に係合して格納させる装着脱手段と
を有することを特徴とする光ディスク装置。
【発明の詳細な説明】
【技術分野】
【０００１】
本発明は光ディスク装置に係り、特に光学式ピックアップ装置により光ディスクに情報信号を記録し、また光ディスクから記録情報信号を再生する光ディスク装置に関する。
【背景技術】
【０００２】
従来、複数の異なったディスクフォーマットの光ディスク（以下、光ディスクという）を単一の光学式ピックアップ装置により互換記録再生する光ディスク装置が各種提案されている（例えば、特許文献１、特許文献２参照）。特許文献１に記載の従来の光ディスク装置は、光源から出射された光ビームを光ディスクの信号記録面上に対物レンズにより合焦し、光ディスクからの反射光（戻り光）を対物レンズを介して光検出器により受光する光学式ピックアップ装置を備え、その光学式ピックアップ装置に、ディスク基板厚の異なる複数種類の光ディスクに対応する複数個の対物レンズと、各対物レンズをそれぞれ二軸方向に移動させる複数の二軸アクチュエータと、再生しようとする光ディスクの種類に対応する対物レンズを相対的に光路中に挿脱する切換手段を備えた構成である。
【０００３】
また、特許文献２に記載の従来の光ディスク装置は、規格が異なる光ディスクに光ビームを集光させるための対物レンズを備えた規格が異なる複数個の二軸アクチュエータと、その取り付け部材と、その取り付け部材を駆動して規格が異なる各光ディスクに適した二軸アクチュエータがその光ディスクに対向するように切り換える切換手段とを有する光学式ピックアップ装置を備えた構成である。
【０００４】
これらの従来の光ディスク装置における光学式ピックアップ装置は、いずれも複数の異なったディスクフォーマットの光ディスクに対応した複数の光学系が形成された単一のピックアップベース上において、複数の異なったディスクフォーマットの光ディスクに対応する対物レンズを搭載した複数の対物レンズアクチュエータ（二軸アクチュエータ）を切り替えて使用する構成である。
【０００５】
【特許文献１】特開平０９−０５４９６１号公報
【特許文献２】特開平１０−１２４８８２号公報
【発明の開示】
【発明が解決しようとする課題】
【０００６】
しかるに、上記の従来の光ディスク装置における光学式ピックアップ装置では、複数の対物レンズアクチュエータと、それら複数の対物レンズアクチュエータを切り替えるための切り替え機構を常にピックアップベース上に搭載しているため、光学式ピックアップ装置全体が大型化し、重量も増加する。従って、従来の光ディスク装置では、光学式ピックアップ装置の光ディスクに対するアクセス動作に要する消費電力の増加や、アクセス速度の低下を招くという欠点がある。
【０００７】
本発明は以上の点に鑑みなされたもので、単一のピックアップベース上で複数の対物レンズアクチュエータを切り替えて使用する光学式ピックアップ装置を用いる光ディスク装置において、光学式ピックアップ装置を小型軽量化させ、光ディスクに対するアクセス動作に要する消費電力の低減や、アクセス速度を向上し得る光ディスク装置を提供することを目的とする。
【課題を解決するための手段】
【０００８】
本発明は上記の目的を達成するため、ピックアップベース上に対物レンズアクチュエータを搭載した構成の光学式ピックアップ装置を用いて、光ディスクに対して情報信号の記録又は再生を行う光ディスク装置において、記録又は再生対象の光ディスクの複数のディスクフォーマットに対応して、対物レンズアクチュエータが複数用意され、その複数の対物レンズアクチュエータを格納する、ピックアップベースとは離間した位置に設けられた対物レンズアクチュエータ格納手段と、記録又は再生時には、記録又は再生しようとする一の光ディスクに対応した一の対物レンズアクチュエータを、対物レンズアクチュエータ格納手段に格納されている複数の対物レンズアクチュエータの中から選択してピックアップベースに装着する装着手段とを有することを特徴とする。
【０００９】
この発明では、光ディスクの記録／再生を行う際にピックアップベース上に装着される対物レンズアクチュエータは単一であり、また、複数の対物レンズアクチュエータを記録又は再生する光ディスクのディスクフォーマットに対応して切り替えてピックアップベースに装着する装着手段がピックアップベース上に搭載されていない構成にできる。
【００１０】
また、上記の目的を達成するため、本発明は、ピックアップベース上に対物レンズアクチュエータを搭載した構成の光学式ピックアップ装置を、光学式ピックアップ駆動機構により光ディスクの半径方向に移動させつつ、光ディスクに対して情報信号の記録又は再生を行う光ディスク装置において、記録又は再生対象の光ディスクの複数のディスクフォーマットに対応して、対物レンズアクチュエータが複数用意され、その複数の対物レンズアクチュエータを格納する、ピックアップベースとは離間した位置に設けられた対物レンズアクチュエータ格納手段と、記録又は再生時には、対物レンズアクチュエータ格納手段に格納されている複数の対物レンズアクチュエータの中から、記録又は再生しようとする光ディスクのディスクフォーマットに対応した対物レンズアクチュエータを、光学式ピックアップ駆動機構により記録又は再生しようとする光ディスクの方向に移動中のピックアップベースに設けられた係合部に係合させて装着させ、記録又は再生終了後は、光学式ピックアップ駆動機構により光ディスクから離れる方向に移動中のピックアップベースに装着されている対物レンズアクチュエータを対物レンズアクチュエータ格納手段の係合部に係合して格納させる装着脱手段とを有することを特徴とする。
【００１１】
この発明では、光ディスクの記録／再生を行う際にピックアップベース上に装着される対物レンズアクチュエータは単一であり、また、複数の対物レンズアクチュエータを記録又は再生する光ディスクのディスクフォーマットに対応して切り替えてピックアップベースに装着し、またピックアップベースに装着されている対物レンズアクチュエータを対物レンズアクチュエータ格納手段の係合部に係合して格納させる装着脱手段がピックアップベース上に搭載されていない構成にできる。
【発明の効果】
【００１２】
本発明によれば、光ディスクの記録／再生を行う際にピックアップベース上に装着される対物レンズアクチュエータは単一であり、また、少なくとも複数の対物レンズアクチュエータを記録又は再生する光ディスクのディスクフォーマットに対応して切り替えてピックアップベースに装着させる装着手段がピックアップベース上に搭載されていないため、光ディスクの記録／再生時における光学式ピックアップ装置が小型軽量にでき、また、光学式ピックアップ装置の光ディスクに対するアクセス動作における消費電力の低減や、アクセス速度の向上が可能となる。
【発明を実施するための最良の形態】
【００１３】
次に、本発明の一実施の形態について図面と共に説明する。図１は本発明になる光ディスク装置の一実施の形態の概略構成図を示す。同図において、光ディスク２ａ、２ｂに対して情報信号の記録及び／又は再生を光学的に行う本実施の形態の光ディスク装置１では、互いに異なるディスクフォーマットの光ディスク２ａ及び２ｂのうち、記録又は再生を行う方の光ディスクが、ターンテーブル３に取り付けられてターンテーブルモータにより回転駆動される。
【００１４】
また、光学式ピックアップ装置駆動機構４上に搭載された、単一のピックアップベース５と、光ディスク２ａのディスクフォーマットに対応する対物レンズを搭載した対物レンズアクチュエータ６ａと、光ディスク２ｂのディスクフォーマットに対応する対物レンズを搭載した対物レンズアクチュエータ６ｂと、対物レンズアクチュエータ６ａ及び６ｂの格納及び切り替えを、ピックアップベース５とは隔離された光ディスク装置１内の位置で行う対物レンズアクチュエータ保持部７とからなる光学式ピックアップ装置が、光ディスク装置１に設けられている。
【００１５】
単一のピックアップベース５には、光ディスク２ａ、２ｂの各ディスクフォーマットに対応した複数の光源や光学素子等からなる複数の光学系が設けられている。また、光学式ピックアップ装置駆動機構４は、光ディスク２ａ又は２ｂの記録／再生時に、ディスク半径方向に上記のピックアップベース５を移動する。
【００１６】
次に、本実施の形態の各部の動作について説明する。図１に示す光ディスク２ａに対して情報信号を記録する場合、又は光ディスク２ａに記録されている情報信号を再生する場合は、図２（Ａ）に示すように、光ディスク２ａがターンテーブル３に固定されて回転される一方、光ディスク２ａのディスクフォーマットに対応する対物レンズを搭載した対物レンズアクチュエータ６ａのみが、対物レンズアクチュエータ保持部７から取り出されてピックアップベース５に装着され、ピックアップベース５と共にディスク半径方向に移動しながら光ディスク２ａに対して記録又は再生を行う。
【００１７】
また、同様に、図１に示す光ディスク装置１において、光ディスク２ｂに対して情報信号を記録する場合、又は光ディスク２ｂに記録されている情報信号を再生する場合は、図２（Ｂ）に示すように、光ディスク２ｂがターンテーブル３に固定されて回転される一方、光ディスク２ｂのディスクフォーマットに対応する対物レンズを搭載した対物レンズアクチュエータ６ｂのみが、対物レンズアクチュエータ保持部７から取り出されてピックアップベース５に装着され、ピックアップベース５と共にディスク半径方向に移動しながら光ディスク２ｂに対して記録又は再生を行う。
【００１８】
図３は本実施の形態における光ディスク装置を上面から見た図である。同図中、図１と同一構成部分には同一符号を付してある。本実施の形態において、対物レンズアクチュエータ６ａ及び対物レンズアクチュエータ６ｂを切り替えてピックアップベース５に装着する手段としては、図３（Ａ）又は同図（Ｂ）に示す手段がある。
【００１９】
図３（Ａ）に示す切替手段は、対物レンズアクチュエータ保持部７ａを直線駆動機構８によって光ディスク２ａ又は２ｂの半径方向Ａと交差する方向Ｘに直線移動させ、対物レンズアクチュエータ６ａあるいは対物レンズアクチュエータ６ｂをピックアップベース５上のアクチュエータ取り付け部に装着する。
【００２０】
また、図３（Ｂ）に示す切替手段は、対物レンズアクチュエータ保持部７ｂを回転駆動機構９によって光ディスク２ａ又は２ｂの半径方向Ａと交差する方向θに回転移動させ、対物レンズアクチュエータ６ａあるいは対物レンズアクチュエータ６ｂをピックアップベース５上のアクチュエータ取り付け部に装着する。
【００２１】
ところで、本実施の形態において、対物レンズアクチュエータ６ａあるいは対物レンズアクチュエータ６ｂを対物レンズアクチュエータ保持部７から取り出してピックアップベース５上に装着する動作、及びピックアップベース５上から取り外して対物レンズアクチュエータ保持部７に格納する動作は、すべて対物レンズアクチュエータ保持部７によって行ってもよいが、動作の一部を光ディスクの記録あるいは再生時に光学式ピックアップ装置を光ディスクの半径方向に移動せしめる光学式ピックアップ装置駆動機構４によって行わせることにより、対物レンズアクチュエータ保持部７の駆動機構の簡略化が可能となり、ひいては光ディスク装置１の構成を簡略化することが可能である。このことについて、以下図４によって説明する。なお、図４中、図１と同一構成部分には同一符号を付してある。
【００２２】
図４（Ａ）は光ディスク装置１が光ディスク２ａ、２ｂの記録あるいは再生を行っていない状態であり、ピックアップベース５は光学式ピックアップ装置駆動機構４によって光ディスク２ａあるいは２ｂから所定距離離間した待機位置にあり、対物レンズアクチュエータ６ａまたは対物レンズアクチュエータ６ｂは対物レンズアクチュエータ保持部７に格納されている。ここで、図４（Ａ）に示すように、ピックアップベース５の上面には対物レンズアクチュエータ６ａ又は対物レンズアクチュエータ６ｂとの係合部５ａが形成されている。また、対物レンズアクチュエータ保持部７には、対物レンズアクチュエータ６ａ又は対物レンズアクチュエータ６ｂとの係合部７ｃが形成されている。
【００２３】
この状態から光ディスク装置１が光ディスク２ａ又は２ｂに対して記録あるいは再生を行わんとする場合には、図４（Ａ）の状態からピックアップペース５が光学式ピックアップ装置駆動機構４によって光ディスク２ａあるいは２ｂの方向へ移動される。そして、図４（Ｂ）に示す光ディスク２ａあるいは２ｂの最外周よりもやや離れた位置を通過する際に、ピックアップベース５の上面に形成されている係合部５ａが、記録又は再生しようとする光ディスク２ａあるいは２ｂのディスクフォーマットに対応する対物レンズアクチュエータ６ａ又は対物レンズアクチュエータ６ｂと係合する。
【００２４】
更に、ピックアップベース５が光学式ピックアップ装置駆動機構４によって、図４（Ｂ）に示す位置よりも光ディスク２ａあるいは２ｂ側へ移動すると、対物レンズアクチュエータ６ａ及び対物レンズアクチュエータ６ｂのうち、係合部５ａに係合した一方の対物レンズアクチュエータが係合部７ｃの係合から解放され、ピックアップベース５上に設けられた付勢手段（例えばスプリングなど：図示せず）によってピックアップベース５上に装着される。
【００２５】
ここでは、一例として、光ディスク２ａがターンテーブル３に固定されて記録又は再生されるものとすると、その光ディスク２ａのディスクフォーマットに対応する対物レンズアクチュエータ６ａのみがピックアップベース５上に装着され、他方の対物レンズアクチュエータ６ｂは引き続き対物レンズアクチュエータ保持部７の係合部７ｃにより保持され続けることになる。
【００２６】
しかる後に、ピックアップベース５とそれに装着された対物レンズアクチュエータ６ａ又は対物レンズアクチュエータ６ｂ（この場合は、６ａ）からなる光学式ピックアップ装置が、図４（Ｃ）に示すように、光学式ピックアップ装置駆動機構４によってさらに、記録又は再生しようとする光ディスク２ａあるいは２ｂ（この場合は、２ａ）の外周から内周方向に移動され、光ディスク２ａに対して情報信号の記録又は再生を行う。
【００２７】
なお、光学式ピックアップ装置駆動機構４及びピックアップベース５とが、対物レンズアクチュエータ６ａ及び対物レンズアクチュエータ６ｂのうち、記録又は再生する光ディスクのディスクフォーマットに対応した方を選択して装着する方法は、光ディスクがディスクカートリッジに収納されている場合は、ディスクカートリッジに形成されているディスクフォーマット検出手段（穴など）を利用してディスクフォーマットを検出し、対物レンズアクチュエータ保持部７をピックアップベース５方向に移動させて使用する対物レンズアクチュエータを係合保持させる。
【００２８】
また、記録又は再生する光ディスクがディスクカートリッジに収納されていない場合は、ディスクフォーマットによるディスクの記録媒体や反射膜の反射率の違いによってディスクフォーマットを判別し、対物レンズアクチュエータ保持部７をピックアップベース５方向に移動させて使用する対物レンズアクチュエータを係合保持させる。この場合、まず対物レンズアクチュエータ６ａ及び６ｂのどちらか一方をピックアップベースに搭載し、光ディスクにレーザ光を照射して反射率を判別する必要がある。
【００２９】
光ディスク装置１が光ディスクの記録又は再生を終了する場合には、図４（Ｃ）の状態から、ピックアップベース５とそれに装着された対物レンズアクチュエータ６ａ（又は対物レンズアクチュエータ６ｂ）とが、光学式ピックアップ装置駆動機構４によって光ディスク２ａ（又は２ｂ）の内周から外周方向に移動される。そして、光学式ピックアップ装置が図４（Ｂ）に示す光ディスク２ａ（又は２ｂ）からやや離れた位置に到達した時に、対物レンズアクチュエータ６ａ（又は６ｂ）が対物レンズアクチュエータ保持部７に形成された係合部７ｃと係合する。
【００３０】
そして、更にピックアップベース５が光学式ピックアップ装置駆動機構４によって光ディスク２ａ（又は２ｂ）から離れる方向に移動すると、係合部７ｃと係合した対物レンズアクチュエータ６ａ（又は６ｂ）がピックアップベース５上に設けられた付勢手段（例えばスプリングなど：図示せず）及び係合部５ａの係合から解放され、対物レンズアクチュエータ保持部７に格納される。
【００３１】
しかる後に、ピックアップベース５が光学式ピックアップ装置駆動機構４によって、更に光ディスク２ａあるいは２ｂから離れる方向に移動され、図４（Ａ）に示す光ディスク装置１が光ディスクを記録又は再生を行っていないときの待機位置にまで移動して停止する（元の位置に復帰する）。
【００３２】
以上述べたように、本実施の形態の光ディスク装置１においては、単一のピックアップベース５上で２つの対物レンズアクチュエータ６ａ、６ｂを切り替えて使用する光学式ピックアップ装置を用いているが、従来例とは異なり、光ディスクの記録／再生を行う際にピックアップベース５上に装着される対物レンズアクチュエータは６ａ又は６ｂの単一であり、また、２つの対物レンズアクチュエータ６ａ及び６ｂを切り替えて使用するための切り替え機構がピックアップベース５上に搭載されていないため、光ディスクの記録／再生時における光学式ピックアップ装置が小型軽量となり、光学式ピックアップ装置の光ディスク２ａ、２ｂに対するアクセス動作における消費電力の低減や、アクセス速度の向上が可能となるものである。
【００３３】
なお、本発明は以上の実施の形態に限定されるものではなく、以上の実施の形態では異なったフォーマットの光ディスク及び対物レンズアクチュエータを２種類として説明したが、当然２種類に限定されるものではない。
【図面の簡単な説明】
【００３４】
【図１】本発明の光ディスク装置の一実施の形態の概略構成図である。
【図２】本発明の光ディスク装置により、異なったフォーマットの光ディスクを記録又は再生している状態を示す図である。
【図３】本発明の光ディスク装置における、対物レンズアクチュエータの切替機構の各例を示す平面図である。
【図４】本発明の光ディスク装置において、対物レンズアクチュエータをピックアップベースに着脱する動作を示す図である。
【符号の説明】
【００３５】
１  光ディスク装置
２ａ、２ｂ  光ディスク
３  ターンテーブル
４  光学式ピックアップ装置駆動機構
５  ピックアップベース
５ａ  ピックアップベースに設けられた係合部
６ａ  光ディスク２ａに対応する対物レンズアクチュエータ
６ｂ  光ディスク２ｂに対応する対物レンズアクチュエータ
７、７ａ、７ｂ  対物レンズアクチュエータ格納部
７ｃ  対物レンズアクチュエータ格納部に形成された係合部
８  対物レンズアクチュエータ格納部７ａの直線駆動機構
９  対物レンズアクチュエータ格納部７ｂの回転駆動機構
Ａ  ディスク半径方向
Ｘ  対物レンズアクチュエータ格納部７ａの直線移動方向
θ  対物レンズアクチュエータ格納部７ｂの回転移動方向
【図１】
2007115313.tif 000003
【図２】
2007115313.tif 000004
【図３】
2007115313.tif 000005
【図４】
2007115313.tif 000006